(57)【特許請求の範囲】
【請求項１】
無線ＬＡＮ（ＷＬＡＮ）システムにおいてステーション（ＳＴＡ）が複数のチャネルを活用してフレームを送信する方法であって、
前記複数のチャネルのそれぞれでＣＣＡ（Ｃｌｅａｒ  Ｃｈａｎｎｅｌ  Ａｓｓｅｓｓｍｅｎｔ）動作を遂行し、
前記複数のチャネルの中で一つ以上のチャネルが使われていなく、前記一つ以上のチャネルが前記ステーションのＢＳＳ（Ｂａｓｉｃ  Ｓｅｒｖｉｃｅ  Ｓｅｔ）内のフレーム伝送に用いられない場合、前記一つ以上のチャネルでバックオフ手順を進行又は再進行し、
前記バックオフ手順によってバックオフカウント値が０になる場合、前記一つ以上のチャネルを介してフレームを送信する、フレーム送信方法。
【請求項２】
前記複数のチャネルは主チャネル（Ｐｒｉｍａｒｙ  Ｃｈａｎｎｅｌ）及び一つ以上の補助チャネル（Ｓｅｃｏｎｄａｒｙ  Ｃｈａｎｎｅｌ）を含み、
前記バックオフ手順を進行又は再進行する一つ以上のチャネルは前記主チャネル及び前記一つ以上の補助チャネルを含む、請求項１に記載のフレーム送信方法。
【請求項３】
前記複数のチャネルの中で主チャネル又は補助チャネルを介してフレームが受信された場合、前記フレームが受信された主チャネル又は補助チャネルのそれぞれに対してＮＡＶ値を設定又は更新する、請求項１に記載のフレーム送信方法。
【請求項４】
前記ステーションの物理階層エンティティは、前記主チャネルと重ならない前記補助チャネルを介してフレームが受信される場合、ＭＡＣ階層エンティティに受信ベクター（ＲＸＶＥＣＴＯＲ）プリミティブを発行し、
前記受信ベクタープリミティブは前記複数のチャネルの全てに対するチャネルリストを含む、請求項３に記載のフレーム送信方法。
【請求項５】
前記複数のチャネルの中で主チャネルが他のＢＳＳフレームの伝送に用いられる場合、前記複数のチャネルの中で一つ以上の補助チャネルに対して前記バックオフ手順を進行又は再進行する、請求項１に記載のフレーム送信方法。
【請求項６】
前記ステーションのＢＳＳ（Ｂａｓｉｃ  Ｓｅｒｖｉｃｅ  Ｓｅｔ）内のフレーム伝送であるかの判定は、前記ステーションの物理階層エンティティが該当のフレームのＨＥ  ＳＩＧフィールドを確認して行う、請求項１に記載のフレーム送信方法。
【請求項７】
前記ステーションの物理階層エンティティが該当のフレームのＨＥ  ＳＩＧフィールドを確認して前記ステーションのＢＳＳ内のフレーム伝送であるかを確認することができない場合、前記該当のフレームは前記ステーションのＢＳＳ内のフレーム伝送と見なす、請求項６に記載のフレーム送信方法。
【請求項８】
前記複数のチャネルの中で、前記バックオフ手順の進行中にフレーム伝送に使われたチャネルは、前記バックオフ手順によってバックオフカウント値が０になる場合に行われるフレーム伝送に用いられないように設定する、請求項１に記載のフレーム送信方法。
【請求項９】
前記ステーションはＡＰ（Ａｃｃｅｓｓ  Ｐｏｉｎｔ）ステーション又は非ＡＰステーションである、請求項１に記載のフレーム送信方法。
【請求項１０】
無線ＬＡＮ（ＷＬＡＮ）システムにおいて複数のチャネルを活用してフレームを送信するように構成されるステーション（ＳＴＡ）装置であって、
前記複数のチャネルのそれぞれでＣＣＡ（Ｃｌｅａｒ  Ｃｈａｎｎｅｌ  Ａｓｓｅｓｓｍｅｎｔ）動作を遂行し、前記複数のチャネルの一つ以上のチャネルが使われていなく、前記一つ以上のチャネルが前記ステーション装置のＢＳＳ（Ｂａｓｉｃ  Ｓｅｒｖｉｃｅ  Ｓｅｔ）内のフレーム伝送に用いられない場合、前記一つ以上のチャネルでバックオフ手順を進行又は再進行するように構成されるプロセッサ；及び
前記プロセッサと連結され、前記プロセッサのバックオフ手順によってバックオフカウント値が０になる場合、前記一つ以上のチャネルを介してフレームを送信するように構成される送受信機（ｔｒａｎｓｃｅｉｖｅｒ）を含む、ステーション装置。
【請求項１１】
前記プロセッサは物理階層エンティティ及びＭＡＣ（Ｍｅｄｉｕｍ  Ａｃｃｅｓｓ  Ｃｏｎｔｒｏｌ）階層エンティティを含み、
前記ステーションの物理階層エンティティは前記ステーションのＢＳＳ（Ｂａｓｉｃ  Ｓｅｒｖｉｃｅ  Ｓｅｔ）内のフレーム伝送であるかの判定を該当のフレームのＨＥ  ＳＩＧフィールドを確認して行う、請求項１０に記載のステーション装置。
【請求項１２】
前記プロセッサは物理階層エンティティ及びＭＡＣ（Ｍｅｄｉｕｍ  Ａｃｃｅｓｓ  Ｃｏｎｔｒｏｌ）階層エンティティを含み、
前記物理階層エンティティは、主チャネルと重ならない補助チャネルを介してフレームが受信される場合、前記ＭＡＣ階層エンティティに受信ベクター（ＲＸＶＥＣＴＯＲ）プリミティブを発行し、
前記受信ベクタープリミティブは前記複数のチャネルの全てに対するチャネルリストを含む、請求項１０に記載のステーション装置。
【請求項１３】
前記ステーション装置はＡＰ（Ａｃｃｅｓｓ  Ｐｏｉｎｔ）ステーション又は非ＡＰステーションとして動作するように構成される、請求項１０に記載のステーション装置。
【発明の詳細な説明】
【技術分野】
【０００１】
以下の説明は無線ＬＡＮシステムにおいて広帯域チャネル接続を効率的に遂行するためのバックオフ手順及びそのための装置に関するものである。
【背景技術】
【０００２】
無線ＬＡＮ技術に対する標準はＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．１１標準として開発されている。ＩＥＥＥ  ８０２．１１ａ及びｂは２．４ＧＨｚ又は５ＧＨｚで無兔許帯域（ｕｎｌｉｃｅｎｓｅｄ  ｂａｎｄ）を用い、ＩＥＥＥ  ８０２．１１ｂは１１Ｍｂｐｓの伝送速度を提供し、ＩＥＥＥ  ８０２．１１ａは５４Ｍｂｐｓの伝送速度を提供する。ＩＥＥＥ  ８０２．１１ｇは２．４ＧＨｚで直交周波数分割多重化（Ｏｒｔｈｏｇｏｎａｌ  ｆｒｅｑｕｅｎｃｙ−ｄｉｖｉｓｉｏｎ  ｍｕｌｔｉｐｌｅｘｉｎｇ、ＯＦＤＭ）を適用して５４Ｍｂｐｓの伝送速度を提供する。ＩＥＥＥ  ８０２．１１ｎは多重入出力ＯＦＤＭ（ｍｕｌｔｉｐｌｅ  ｉｎｐｕｔ  ｍｕｌｔｉｐｌｅ  ｏｕｔｐｕｔ−ＯＦＤＭ、ＭＩＭＯ−ＯＦＤＭ）を適用して、４個の空間的なストリーム（ｓｐａｔｉａｌ  ｓｔｒｅａｍ）に対して３００Ｍｂｐｓの伝送速度を提供する。ＩＥＥＥ  ８０２．１１ｎではチャネル帯域幅（ｃｈａｎｎｅｌ  ｂａｎｄｗｉｄｔｈ）を４０ＭＨｚまで支援し、この場合には６００Ｍｂｐｓの伝送速度を提供する。
【０００３】
前述した無線ＬＡＮ標準は最大１６０ＭＨｚ帯域幅を用い、８個の空間ストリームを支援して最大１Ｇｂｉｔ／ｓの速度を支援するＩＥＥＥ  ８０２．１１ａｃ標準を経て、ＩＥＥＥ  ８０２．１１ａｘ標準化に対する論議がなされている。
【０００４】
前述した無線ＬＡＮ標準化過程で、ＩＥＥＥ  ８０２．１１ａｃでは広帯域チャネルを提供するために、主（Ｐｒｉｍａｒｙ）／補助（Ｓｅｃｏｎｄａｒｙ）チャネル概念を導入した。すなわち、広帯域のチャネルを提供するために、複数の２０ＭＨｚチャネルを同時に用いることができるように構成し、これらチャネルの一つのチャネルを主チャネルとして構成する方式を用いる。
【発明の概要】
【発明が解決しようとする課題】
【０００５】
しかし、前述したような主チャネル及び補助チャネルでの動作を単純化するために、主チャネルに限ってＣＣＡ（Ｃｌｅａｒ  Ｃｈａｎｎｅｌ  Ａｓｓｅｓｓｍｅｎｔ）を遂行し、ＮＡＶ（Ｎｅｔｗｏｒｋ  Ａｌｌｏｃａｔｉｏｎ  Ｖｅｃｔｏｒ）を調節することによって空間効率性が低下する問題が発生する。
【０００６】
したがって、前述したように、本発明はこのような問題を解決するために、無線ＬＡＮシステムにおいて広帯域チャネル接続を効率的に遂行するためのバックオフ手順及びそのための装置を提供しようとする。
【課題を解決するための手段】
【０００７】
前述したような課題を解決するための本発明の一態様では、無線ＬＡＮ（ＷＬＡＮ）システムにおいてステーション（ＳＴＡ）が複数のチャネルを活用してフレームを送信する方法であって、前記複数のチャネルのそれぞれでＣＣＡ（Ｃｌｅａｒ  Ｃｈａｎｎｅｌ  Ａｓｓｅｓｓｍｅｎｔ）動作を遂行し、前記複数のチャネルの中で一つ以上のチャネルが使われていなく、前記一つ以上のチャネルが前記ステーションのＢＳＳ（Ｂａｓｉｃ  Ｓｅｒｖｉｃｅ  Ｓｅｔ）内のフレーム伝送に用いられない場合、前記一つ以上のチャネルでバックオフ手順を進行又は再進行し、前記バックオフ手順によってバックオフカウント値が０になる場合、前記一つ以上のチャネルを介してフレームを送信する、フレーム送信方法を提案する。
【０００８】
ここで、前記複数のチャネルは主チャネル（Ｐｒｉｍａｒｙ  Ｃｈａｎｎｅｌ）及び一つ以上の補助チャネル（Ｓｅｃｏｎｄａｒｙ  Ｃｈａｎｎｅｌ）を含み、前記バックオフ手順を進行又は再進行する一つ以上のチャネルは前記主チャネル及び前記一つ以上の補助チャネルを含むことができる。
【０００９】
また、前記複数のチャネルの中で主チャネル又は補助チャネルを介してフレームが受信された場合、前記フレームが受信された主チャネル又は補助チャネルのそれぞれに対してＮＡＶ値を設定又は更新することができる。
【００１０】
一方、前記ステーションの物理階層エンティティは、前記主チャネルと重ならない前記補助チャネルを介してフレームが受信される場合、ＭＡＣ階層エンティティに受信ベクター（ＲＸＶＥＣＴＯＲ）プリミティブを発行することができ、前記受信ベクタープリミティブは前記複数のチャネルの全てに対するチャネルリストを含むことが好ましい。
【００１１】
前記複数のチャネルの中で主チャネルが他のＢＳＳフレームの伝送に用いられる場合、前記複数のチャネルの中で一つ以上の補助チャネルに対して前記バックオフ手順を進行又は再進行することができる。
【００１２】
また、前記ステーションのＢＳＳ（Ｂａｓｉｃ  Ｓｅｒｖｉｃｅ  Ｓｅｔ）内のフレーム伝送であるかの判定は、前記ステーションの物理階層エンティティが該当のフレームのＨＥ  ＳＩＧフィールドを確認して行うことができる。前記ステーションの物理階層エンティティが該当のフレームのＨＥ  ＳＩＧフィールドを確認して前記ステーションのＢＳＳ内のフレーム伝送であるかを確認することができない場合、前記該当のフレームは前記ステーションのＢＳＳ内のフレーム伝送と見なすことが好ましい。
【００１３】
また、前記複数のチャネルの中で、前記バックオフ手順の進行中にフレーム伝送に使われたチャネルは、前記バックオフ手順によってバックオフカウント値が０になる場合に行われるフレーム伝送に用いられないように設定することが好ましい。
【００１４】
前記ステーションはＡＰ（Ａｃｃｅｓｓ  Ｐｏｉｎｔ）ステーション又は非ＡＰステーションであってもよい。
【００１５】
一方、前述したような課題を解決するための本発明の他の態様では、無線ＬＡＮ（ＷＬＡＮ）システムにおいて複数のチャネルを活用してフレームを送信するように構成されるステーション（ＳＴＡ）装置であって、前記複数のチャネルのそれぞれでＣＣＡ（Ｃｌｅａｒ  Ｃｈａｎｎｅｌ  Ａｓｓｅｓｓｍｅｎｔ）動作を遂行し、前記複数のチャネルの一つ以上のチャネルが使われていなく、前記一つ以上のチャネルが前記ステーション装置のＢＳＳ（Ｂａｓｉｃ  Ｓｅｒｖｉｃｅ  Ｓｅｔ）内のフレーム伝送に用いられない場合、前記一つ以上のチャネルでバックオフ手順を進行又は再進行するように構成されるプロセッサ；及び前記プロセッサと連結され、前記プロセッサのバックオフ手順によってバックオフカウント値が０になる場合、前記一つ以上のチャネルを介してフレームを送信するように構成される送受信機（ｔｒａｎｓｃｅｉｖｅｒ）を含む、ステーション装置を提案する。
【００１６】
前記プロセッサは物理階層エンティティ及びＭＡＣ（Ｍｅｄｉｕｍ  Ａｃｃｅｓｓ  Ｃｏｎｔｒｏｌ）階層エンティティを含み、前記ステーションの物理階層エンティティは前記ステーションのＢＳＳ（Ｂａｓｉｃ  Ｓｅｒｖｉｃｅ  Ｓｅｔ）内のフレーム伝送であるかの判定を該当のフレームのＨＥ  ＳＩＧフィールドを確認して行うことができる。
【００１７】
また、前記物理階層エンティティは、主チャネルと重ならない補助チャネルを介してフレームが受信される場合、前記ＭＡＣ階層エンティティに受信ベクター（ＲＸＶＥＣＴＯＲ）プリミティブを発行することができ、前記受信ベクタープリミティブは前記複数のチャネルの全てに対するチャネルリストを含むことができる。
【００１８】
前記ステーション装置はＡＰ（Ａｃｃｅｓｓ  Ｐｏｉｎｔ）ステーション又は非ＡＰステーションとして動作するように構成されることができる。
【発明の効果】
【００１９】
前述したような本発明によると、高帯域幅を有するチャネルを活用しながらも無線リソースの効率性を向上させることができ、実施形態によってデータ伝送エラーを防止することができる。
【図面の簡単な説明】
【００２０】
【図１】無線ＬＡＮシステムの構成の一例を示した図である。
【図２】無線ＬＡＮシステムの構成の他の例を示した図である。
【図３】無線ＬＡＮシステムにおけるＤＣＦメカニズムを説明するための図である。
【図４】前述したようなＲＴＳ／ＣＴＳフレームを用いて動作する方法を具体的に説明するための図である。
【図５】主チャネル及び補助チャネルの概念を説明するための図である。
【図６】主チャネル及び補助チャネルの概念を用いて同じ周波数領域でネットワークが共存する方式を説明するための図である。
【図７】主チャネルにだけＣＣＡ手順及びＮＡＶ設定が適用される場合の問題を具体的に説明するための図である。
【図８】本発明の一実施形態によって複数のチャネルを用いてフレームを送信する方法を説明するための図である。
【図９】本発明の一実施形態によって多重使用者接続方式が適用される場合を説明するための図である。
【図１０】本発明の一実施形態によって多重使用者接続方式が適用される場合を説明するための図である。
【図１１】本発明の一実施形態によってバックオフ手順の進行中にｂｕｓｙであったチャネルの処理について説明するための図である。
【図１２】本発明の他の一実施形態によって代替主チャネルを設定する方式を説明するための図である。
【図１３】レガシーシステムにおいてＰＩＦＳ媒体接続方式を説明するための図である。
【図１４】主チャネルにだけＮＡＶ設定がなされる場合の問題を説明するための図である。
【図１５】本発明の一実施形態によって補助チャネルに対してもＮＡＶ設定を行う場合を説明するための図である。
【図１６】本発明による方法を具現するための装置を説明するための図である。
【発明を実施するための形態】
【００２１】
以下、本発明による好適な実施形態を添付図面に基づいて詳細に説明する。添付図面に基づいて以下に開示される詳細な説明は本発明の例示的な実施形態を説明しようとするもので、本発明の実施可能な唯一の実施形態を示そうとするものではない。
【００２２】
以下の詳細な説明は本発明の完全な理解を提供するために具体的な詳細事項を含む。しかし、当業者は本発明がこのような具体的詳細事項なしにも実施可能であることが分かる。場合によって、本発明の概念があいまいになることを避けるために公知の構造及び装置は省略するか、それぞれの構造及び装置の核心機能を中心とするブロック図の形式で示す。
【００２３】
前述したように、以下の説明は無線ＬＡＮシステムにおいて広帯域を有するチャネルを効率的に活用するための方法及びそのための装置に関するものである。このために、まず本発明が適用される無線ＬＡＮシステムについて具体的に説明する。
【００２４】
図１は無線ＬＡＮシステムの構成の一例を示した図である。
【００２５】
図１に示したように、無線ＬＡＮシステムは一つ以上の基本サービスセット（Ｂａｓｉｃ  Ｓｅｒｖｉｃｅ  Ｓｅｔ、ＢＳＳ）を含む。ＢＳＳは成功的に同期化して互いに通信することができるステーション（Ｓｔａｔｉｏｎ、ＳＴＡ）の集合である。
【００２６】
ＳＴＡは媒体接続制御（Ｍｅｄｉｕｍ  Ａｃｃｅｓｓ  Ｃｏｎｔｒｏｌ、ＭＡＣ）と無線媒体に対する物理階層（Ｐｈｙｓｉｃａｌ  Ｌａｙｅｒ）インターフェースを含む論理個体であって、アクセスポイント（ａｃｃｅｓｓ  ｐｏｉｎｔ、ＡＰ）と非ＡＰ  ＳＴＡ（Ｎｏｎ−ＡＰ  Ｓｔａｔｉｏｎ）を含む。ＳＴＡのうち、使用者が操作する携帯用端末はＮｏｎ−ＡＰ  ＳＴＡであって、単にＳＴＡと言うときはＮｏｎ−ＡＰ  ＳＴＡを示すこともある。Ｎｏｎ−ＡＰ  ＳＴＡは、端末（ｔｅｒｍｉｎａｌ）、無線送受信ユニット（Ｗｉｒｅｌｅｓｓ  Ｔｒａｎｓｍｉｔ／Ｒｅｃｅｉｖｅ  Ｕｎｉｔ、ＷＴＲＵ）、使用者装備（Ｕｓｅｒ  Ｅｑｕｉｐｍｅｎｔ、ＵＥ）、移動局（Ｍｏｂｉｌｅ  Ｓｔａｔｉｏｎ、ＭＳ）、携帯用端末（Ｍｏｂｉｌｅ  Ｔｅｒｍｉｎａｌ）、又は移動加入者ユニット（Ｍｏｂｉｌｅ  Ｓｕｂｓｃｒｉｂｅｒ  Ｕｎｉｔ）などの他の名称とも呼ばれることができる。
【００２７】
そして、ＡＰは自分に結合されたＳＴＡ（Ａｓｓｏｃｉａｔｅｄ  Ｓｔａｔｉｏｎ）に無線媒体を介して分配システム（Ｄｉｓｔｒｉｂｕｔｉｏｎ  Ｓｙｓｔｅｍ、ＤＳ）への接続を提供する個体である。ＡＰは、集中制御器、基地局（Ｂａｓｅ  Ｓｔａｔｉｏｎ、ＢＳ）、Ｎｏｄｅ−Ｂ、ＢＴＳ（Ｂａｓｅ  Ｔｒａｎｓｃｅｉｖｅｒ  Ｓｙｓｔｅｍ）、又はサイト制御器などと呼ばれることもできる。
【００２８】
ＢＳＳはインフラストラクチャー（ｉｎｆｒａｓｔｒｕｃｔｕｒｅ）ＢＳＳと独立的（Ｉｎｄｅｐｅｎｄｅｎｔ）ＢＳＳ（ＩＢＳＳ）に区分することができる。
【００２９】
図１に示したＢＢＳはＩＢＳＳである。ＩＢＳＳはＡＰを含んでいないＢＳＳを意味し、ＡＰを含んでいないので、ＤＳへの接続が許されなくて自己完結的ネットワーク（ｓｅｌｆ−ｃｏｎｔａｉｎｅｄ  ｎｅｔｗｏｒｋ）を成す。
【００３０】
図２は無線ＬＡＮシステムの構成の他の例を示した図である。
【００３１】
図２に示したＢＳＳはインフラストラクチャーＢＳＳである。インフラストラクチャーＢＳＳは一つ以上のＳＴＡ及びＡＰを含む。インフラストラクチャーＢＳＳにおいて、非ＡＰ  ＳＴＡの間の通信はＡＰを介してなされることが原則であるが、非ＡＰ  ＳＴＡの間に直接リンク（ｌｉｎｋ）が設定された場合には、非ＡＰ  ＳＴＡの間で直接通信も可能である。
【００３２】
図２に示したように、複数のインフラストラクチャーＢＳＳはＤＳを介して互いに連結されることができる。ＤＳを介して連結された複数のＢＳＳを拡張サービスセット（Ｅｘｔｅｎｄｅｄ  Ｓｅｒｖｉｃｅ  Ｓｅｔ、ＥＳＳ）と言う。ＥＳＳに含まれるＳＴＡは互いに通信することができ、同じＥＳＳ内で非ＡＰ  ＳＴＡは切れなしに通信しながら一つのＢＳＳから他のＢＳＳに移動することができる。
【００３３】
ＤＳは複数のＡＰを連結するメカニズム（ｍｅｃｈａｎｉｓｍ）であって、必ずしもネットワークである必要はなく、所定の分配サービスを提供することができる限り、その形態に対しては何らの制限がない。例えば、ＤＳはメッシュ（ｍｅｓｈ）ネットワークのような無線ネットワークであってもよく、ＡＰを互いに連結する物理的な構造物であってもよい。
【００３４】
以上に基づいて無線ＬＡＮシステムにおける衝突検出技術について説明する。
【００３５】
前述したように、無線環境では多様な要素がチャネルに影響を与えるため、送信端が正確に衝突検出を遂行することができない問題がある。それで、８０２．１１ではＣＳＭＡ／ＣＡ（ｃａｒｒｉｅｒ  ｓｅｎｓｅ  ｍｕｌｔｉｐｌｅ  ａｃｃｅｓｓ／ｃｏｌｌｉｓｉｏｎ  ａｖｏｉｄａｎｃｅ）メカニズムであるＤＣＦ（ｄｉｓｔｒｉｂｕｔｅｄ  ｃｏｏｒｄｉｎａｔｉｏｎ  ｆｕｎｃｔｉｏｎ）を導入した。
【００３６】
図３は無線ＬＡＮシステムにおけるＤＣＦメカニズムを説明するための図である。
【００３７】
ＤＣＦ（ｄｉｓｔｒｉｂｕｔｅｄ  ｃｏｏｒｄｉｎａｔｉｏｎ  ｆｕｎｃｔｉｏｎ）は、送信すべきデータがあるＳＴＡがデータを送信する前に特定の期間（例えば、ＤＩＦＳ：ＤＣＦ  ｉｎｔｅｒ−ｆｒａｍｅ  ｓｐａｃｅ）の間に媒体をセンシングするＣＣＡ（ｃｌｅａｒ  ｃｈａｎｎｅｌ  ａｓｓｅｓｓｍｅｎｔ）を遂行する。この際、時媒体がアイドル（ｉｄｌｅ）であれば（使用可能の場合）ＳＴＡはその媒体を介して信号を送信することが可能である。ところが、媒体がビジー（ｂｕｓｙ）である場合（使用不可の場合）は、既に多くのＳＴＡがその媒体を使うために待機しているという仮定の下でＤＩＦＳに、さらにランダムバックオフ周期（ｒａｎｄｏｍ  ｂａｃｋｏｆｆ  ｐｅｒｉｏｄ）だけ待った後、データを送信することができる。この際、ランダムバックオフ周期は衝突を回避することができるようにする。これはデータを送信するための多くのＳＴＡが存在すると仮定するとき、各ＳＴＡは確率的に相異なるバックオフ間隔値を有することになり、結局相異なる伝送タイムを有することになるからである。一つのＳＴＡが送信を始めれば、他のＳＴＡはその媒体を使うことができなくなる。
【００３８】
ランダムバックオフ時間とプロシージャについて簡単に説明すると次のようである。
【００３９】
特定の媒体がビジー（ｂｕｓｙ）からアイドル（ｉｄｌｅ）に変われば、多くのＳＴＡはデータを送信するために準備し始める。この際、衝突を最小化させるために、データを送信しようとするＳＴＡはそれぞれランダムバックオフカウントを選択し、そのスロット時間だけ待つ。ランダムバックオフカウントは疑似ランダム整数（ｐｓｅｕｄｏ−ｒａｎｄｏｍ  ｉｎｔｅｇｅｒ）値であり、［０  ＣＷ］の範囲で均一に分布された値の一つを選択することになる。ＣＷは‘ｃｏｎｔｅｎｔｉｏｎ    ｗｉｎｄｏｗ’を意味する。
【００４０】
ＣＷパラメータは初期値としてＣＷｍｉｎ値を取るが、伝送が失敗すれば、値を２倍に増やすことになる。例えば、送信したデータフレームに対するＡＣＫ応答を受けなかったとすれば衝突が発生したと見なすことができる。ＣＷ値がＣＷｍａｘ値を有すれば、データ伝送が成功するまでＣＷｍａｘ値を維持するようにし、データ伝送が成功すれば、ＣＷｍｉｎ値に再設定することになる。この際、ＣＷ、ＣＷｍｉｎ、ＣＷｍａｘは具現と動作の便宜のために
【００４１】
【数１】
0006298213.tif 000002
【００４２】
を維持するようにすることが好ましい。
【００４３】
一方、ランダムバックオフ手順が始まれば、ＳＴＡは［０  ＣＷ］の範囲内でランダムバックオフカウントを選択した後、バックオフスロットがカウントダウンされているうちに続けて媒体をモニタリングすることになる。その間に媒体がビジー（ｂｕｓｙ）状態になればカウントダウンを止めていて、媒体が再びアイドル（ｉｄｌｅ）になれば残りのバックオフスロットのカウントダウンを再開する。
【００４４】
図３を参照すると、多くのＳＴＡが送信したいデータがあるとき、ＳＴＡ３の場合、ＤＩＦＳの分だけ媒体がアイドル（ｉｄｌｅ）であったので、すぐにデータフレームを送信し、残りのＳＴＡはその媒体がアイドル（ｉｄｌｅ）になることを待つ。しばらく媒体がビジー（ｂｕｓｙ）状態であったので、多くのＳＴＡがその媒体を使う機会を待っているであろう。それで、各ＳＴＡはランダムバックオフカウントを選択することになる。図３は、この時に最小のバックオフカウントを選択することになったＳＴＡ２がデータフレームを送信することを示す。
【００４５】
ＳＴＡ２の伝送が終わった後、媒体は再びアイドル（ｉｄｌｅ）状態になり、ＳＴＡは止まったバックオフ間隔に対するカウントダウンを再開する。図３は、ＳＴＡ２の次に小さいランダムバックオフカウント値を有し、媒体がビジー（ｂｕｓｙ）であるとき、しばらくカウントダウンを止めたＳＴＡ５が残りのバックオフスロットを全部カウントダウンしてからデータフレームの伝送を始めたが、偶然にＳＴＡ４のランダムバックオフカウント値と重なって衝突が発生したことを示す。この際、二つのＳＴＡデータ伝送後に皆ＡＣＫ応答を受けることができないから、ＣＷを２倍に増やしてからまたランダムバックオフカウント値を選択することになる。
【００４６】
ＣＳＭＡ／ＣＡの最も基本はキャリアセンシングである。端末機はＤＣＦ媒体のビジー／アイドル（ｂｕｓｙ／ｉｄｌｅ）を判断するために物理キャリアセンシングと仮想キャリアセンシングを使うことができる。物理キャリアセンシングはＰＨＹ（ｐｈｙｓｉｃａｌ  ｌａｙｅｒ）端でなされ、（ｅｎｅｒｇｙ  ｄｅｔｅｃｔｉｏｎ）やプリアンブル検出（ｐｒｅａｍｂｌｅ  ｄｅｔｅｃｔｉｏｎ）によってなされる。例えば、受信端での電圧レベルを測定するかプリアンブルが読み取られたと判断されれば、媒体がビジー（ｂｕｓｙ）状態であると判断することができる。仮想キャリアセンシングはＮＡＶ（ｎｅｔｗｏｒｋ  ａｌｌｏｃａｔｉｏｎ  ｖｅｃｔｏｒ）を設定して他のＳＴＡがデータを送信することができないようにするもので、ＭＡＣヘッダーの持続期間フィールド（Ｄｕｒａｔｉｏｎ  ｆｉｅｌｄ）の値によってなされる。一方、衝突の可能性を減らすためにロバスト衝突検出メカニズム（ｒｏｂｕｓｔ  ｃｏｌｌｉｓｉｏｎ  ｄｅｔｅｃｔ  ｍｅｃｈａｎｉｓｍ）を導入した。このために、ＲＴＳ／ＣＴＳフレームを用いる動作を提案した。
【００４７】
図４は前述したようなＲＴＳ／ＣＴＳフレームを用いて動作する方法を具体的に説明するための図である。
【００４８】
図４で、送信端ＳＴＡはＤＩＦＦ（Ｄｉｓｔｒｉｂｕｔｅｄ  ＩＦＳ）後に信号を送信する受信端ＳＴＡにＲＴＳフレームを送信することができる。このＲＴＳフレームを受信した受信端ＳＴＡはＳＩＦＳ（Ｓｈｏｒｔ  ＩＦＳ）後にＣＴＳを送信端ＳＴＡに送信することができる。受信端ＳＴＡからＣＴＳを受信した送信端ＳＴＡはＳＩＦＳ後に、図４に示したように、データを送信することができる。データを受信した受信端ＳＴＡはＳＩＦＳ後に受信されたデータに対してＡＣＫ応答を送信することができる。
【００４９】
一方、前述した送受信端ＳＴＡ以外の隣りのＳＴＡの中で送信端ＳＴＡのＲＴＳ／ＣＴＳを受信したＳＴＡはＲＴＳ／ＣＴＳの受信有無によって媒体のビジー（ｂｕｓｙ）状態を判断し、これによってＮＡＶ（ｎｅｔｗｏｒｋ  ａｌｌｏｃａｔｉｏｎ  ｖｅｃｔｏｒ）を設定することができる。ＮＡＶ期間が終了すれば、ＤＩＦＳ後に図３を参照して前述したような衝突解決のための過程を遂行することができる。
【００５０】
以下では、前述したようなＣＣＡ動作及びＮＡＶ設定が主チャネルに限定される場合の問題を説明する。
【００５１】
図５は主チャネル及び補助チャネルの概念を説明するための図である。
【００５２】
８０２．１１ａｃでは、広帯域チャネルを提供するために、図５に示したように、主チャネル及び補助チャネルの概念を導入した。一般に、主チャネルは自分の固有な帯域幅を持ってフレームを送信するチャネルを、補助チャネルは主チャネルと一緒にチャネル帯域幅を確張するためのチャネルを示す。
【００５３】
図５の例示的なシステムにおいて、２０ＭＨｚ帯域でフレームを送信するためには、２０ＭＨｚの主チャネルであるチャネル６０番を用いることができる。仮に、４０ＭＨｚフレームを４０ＭＨｚ主チャネルに送信する場合、図５のチャネル６０及び６４は共にｉｄｌｅにならなければならない。
【００５４】
図５の主チャネルと補助チャネルの関係は下記の表１のようにまとめることができる。
【００５５】
【表１】
0006298213.tif 000003
【００５６】
図５は例示的なチャネル構成を示すもので、２０ＭＨｚチャネル最大９個まで支援されることができる。
【００５７】
図６は主チャネル及び補助チャネルの概念を用いて同じ周波数領域でネットワークが共存する方式を説明するための図である。
【００５８】
図５に基づいて前述した主チャネル及び補助チャネルの概念を導入した理由の一つは、図６に示したように、複数のネットワークが同じ周波数領域を共有することが容易になるようにする点である。種々の器機とデータレートに対する要求によって最大１６０ＭＨｚチャネルを用いて最大速度を支援するように設計されたネットワークであってもいつも該当チャネルの最大容量を使わない。
【００５９】
したがって、主チャネルが互いにオーバーラップしない場合、同じ周波数帯域を共有するように設計することが効率的であり、図６では例示的にそれぞれの帯域幅で主チャネルを異にする二つのネットワークが共存する形態を例示的に示した。
【００６０】
図７は主チャネルにだけＣＣＡ手順及びＮＡＶ設定が適用される場合の問題を具体的に説明するための図である。
【００６１】
前述したように、広帯域チャネル（例えば、４０、８０、１６０ＭＨｚチャネル）は主チャネル及び一つ以上の補助チャネルを含み、前述したようなネットワークの共存を具現するために、ＮＡＶ設定及びバックオフ手順は主チャネルに限って遂行して来た。
【００６２】
ただ、前述したようにＮＡＶ設定及びバックオフ手順の調整が主チャネルに限られて行われる場合、図６のようなネットワーク共存に有利な面があるが、図７に示したように主チャネルがｂｕｓｙである場合、ｉｄｌｅな補助チャネルがあるにもかかわらず、これを活用することができない場合が発生し得る。すなわち、図７に示したように主チャネルがｂｕｓｙである場合、補助チャネルに共存するネットワークがなくてもｉｄｌｅな補助チャネルが伝送に活用できない欠点が発生する。
【００６３】
このような問題はリソース活用の効率性を低下させることができ、特に多様な帯域幅及びチャネルを用いるＡＰが重なって配置される高密度無線ＬＡＮ環境でのリソース効率性を低下させることができる。
【００６４】
したがって、本発明の一実施形態では、主チャネル及び補助チャネルの両方でそれぞれＣＣＡ手順を行うことを提案し、以下で例示的な図面に基づいてこれを説明する。
【００６５】
図８は本発明の一実施形態によって複数のチャネルを用いてフレームを送信する方法を説明するための図である。
【００６６】
本実施形態では、前述したように主チャネルだけではなく補助チャネルでもＣＣＡ手順を遂行することができる。仮に、ＳＴＡが送信すべきフレームが発生した場合、該当ＳＴＡはそれぞれのチャネルに対してＣＣＡ手順を遂行することができる。
【００６７】
仮に、ｉｄｌｅなチャネルがないか自分のＢＳＳ内のＰＰＤＵ伝送ある場合、バックオフ手順は中断される。この場合、ＳＴＡはｉｄｌｅなチャネルが発見されるまでＣＣＡ手順を続行することができる。
【００６８】
仮に、一つ以上のｉｄｌｅなチャネルあり、自分のＢＳＳに属するＰＰＤＵ伝送がない場合、バックオフ手順が進行し始めるか、中断されたバックオフ手順が再進行することができる。
【００６９】
図８では、チャネル１〜４がいずれもｂｕｓｙ状態からｉｄｌｅ状態になる場合、ＡＩＦＳ以後からバックオフ手順がバックオフタイマー値が６に設定されることによって開始される場合を示し、チャネル１〜４がｂｕｓｙに変わる場合、進行中のバックオフ手順が中止されることを示している。このように中止されたバックオフ手順は再びチャネルがｉｄｌｅになる場合に再開することができる。
【００７０】
一方、バックオフカウント値が０に至った場合、仮に自分のＢＳＳ  ＰＰＤＵがない場合、ＳＴＡはバックオフカウント値が０に至る以前のＰＩＦＳの間にｉｄｌｅなチャネルを介してフレームを送信することができる。図８の例では、中断されたバックオフ手順が再開してバックオフカウント値が０である場合、主チャネルに他のＢＳＳのＰＰＤＵがある場合であっても補助チャネルを介してＳＴＡ１にフレームを送信することを示している。
【００７１】
前述した実施形態で、ＰＰＤＵが自分のＢＳＳのＰＰＤＵであるか、他のＢＳＳのＰＰＤＵであるかを判定する方法は次のようである。
【００７２】
まず、ＳＴＡの物理階層ＨＥ  ＰＬＣＰヘッダー（例えば、ＨＥ  ＳＩＧ）を介して該当ＰＰＤＵが自分のＢＳＳのものであるかが分かる。例えば、ＳＴＡからＡＰへの上りリンクの場合（例えば、ＵＬ指示子＝１又はグループＩＤ＝０）ＩＤが自分のＢＳＳのＰＢＳＳＩＤにマッピングされるかによって分かり、ＡＰからＳＴＡへの下りリンクの場合（例えば、ＵＬ指示子＝０又はグループＩＤ＝６３）ＣＯＬＯＲフィールド値が自分のＢＳＳのＣＯＬＯＲフィールド値と一致するかによって分かる。さらに他の方法によると、ＭＡＣ  ＰＤＵがデコードされたとき、ＭＡＣ  ｈｅａｄｅｒのａｄｄｒｅｓｓ情報が自分のＢＳＳＩＤと一致するか否かによって、自分のＢＳＳのＰＰＤＵであるか否かが分かる。
【００７３】
このような事項を確認した物理階層は、ＭＡＣ階層に（１）ＰＨＹ−ＣＣＡ．ｉｎｄｉｃａｔｉｏｎ（Ｂｕｓｙ，ｃｈａｎｎｅｌ−ｌｉｓｔ，ＢＳＳ  Ｉｎｆｏ）、ＰＨＹ−ＲＸＳＴＡＲＴ．ｉｎｄｉｃａｔｉｏｎ、ＰＨＹ−ＲＸＥＮＤ．ｉｎｄｉｃａｔｉｏｎ、ＰＨＹ−ＤＡＴＡ．ｉｎｄｉｃａｔｉｏｎなどを介して知らせることができ、また（２）Ｍｙ  ＢＳＳ  ｉｎｆｏ（０）＝ｍｙ  ＢＳＳ、Ｍｙ  ＢＳＳ  Ｉｎｆｏ（１）＝ｏｔｈｅｒ  ＢＳＳのような方式で知らせることもできる。
【００７４】
仮に、物理階層によって前述したような方式で該当のＰＰＤＵが自分のＢＳＳのＰＰＤＵであるかを確認することができない場合（例えば、プリアンブル検出ができないがエネルギーが検出された場合、ＨＥ−ＳＩＧ  ＣＲＣエラーが発生した場合、ｎｏｎ−ＨＥ／ＨＴ  ＰＰＤＵである場合など）、ＢＳＳ情報は自分のＢＳＳに設定することが好ましい。
【００７５】
一方、本発明の一実施形態では、全てのチャネル（主チャネル及び補助チャネルを含む）に対してＮＡＶを設定又は更新することを提案し、これによりＳＴＡはＮＡＶが０でない値に設定されたチャネルを使わないように設定することを提案する。
【００７６】
物理階層は主２０ＭＨｚチャネルと重ならないｎｏｎ−ＨＴ  ＰＰＤＵに対応してＰＨＹ−ＲＸＳＴＡＲＴ．ｉｎｄｉｃａｔｉｏｎを発生することができる。この時、物理階層はＭＡＣ階層に発行するＰＨＹ−ＲＸＳＴＡＲＴ．ｉｎｄｉｃａｔｉｏｎ（ＲＸＶＥＣＴＯＲ）プリミティブにチャネルリスト値を含むことができる。例えば、チャネルリスト値はＰｒｉｍａｒｙ、Ｓｅｃｏｎｄａｒｙ、Ｓｅｃｏｎｄａｒｙ４０、Ｓｅｃｏｎｄａｒｙ８０であってもよい。
【００７７】
ＭＡＣ階層はＰＨＹ−ＲＸＳＴＡＲＴ．ｉｎｄｉｃａｔｉｏｎを物理階層から受信するかＡ−ＭＰＤＵを成功的にデコードした場合、これによって各チャネルにＮＡＶを設定するか更新することができる。
【００７８】
図９及び図１０は本発明の一実施形態によって多重使用者接続方式が適用される場合を説明するための図である。
【００７９】
図９に示したように、ＤＬ  ＯＦＤＭＡにおいてＡＰはフレームを複数のＳＴＡに同時に相異なるｉｄｌｅチャネルを介して送信することができる。このような点に鑑み、図１０では、主チャネルが他のＢＳＳのＰＰＤＵによってｂｕｓｙの場合であっても複数の補助チャネルを介してフレームを送信することができ、この時、複数のＳＴＡに相異なる補助チャネルを用いてフレームを送信することを示している。
【００８０】
図９及び図１０ではＡＰからＳＴＡ方向へのＤＬ  ＭＵ接続方式を例として説明したが、このような方式はＳＴＡからＡＰへのＵＬ  ＭＵ接続方式にも用いることができる。
【００８１】
図１１は本発明の一実施形態によってバックオフ手順の進行中にｂｕｓｙであったチャネルの処理について説明するための図である。
【００８２】
図１１に示したように、本発明の好適な一実施形態では、それぞれのチャネルで皆ＣＣＡを行ってバックオフ手順を遂行し、バックオフ手順の進行中に他のＢＳＳのＰＰＤＵによる場合であってもｂｕｓｙとして検出されたチャネルはバックオフカウント値が０に至った場合であると言っても該当のチャネルを介してフレームを送信しないように設定することを提案する。バックオフ手順の進行中にｂｕｓｙであったチャネルの場合、進行中のバックオフ手順を経なかったから衝突危険が高いからである。
【００８３】
図１２は本発明の他の一実施形態によって代替主チャネルを設定する方式を説明するための図である。
【００８４】
本実施形態では、レガシーシステム（例えば、８０２．１１ｎ／ａｃ）と同様に主チャネル／補助チャネルの構造をそのまま維持することができる。一方、本実施形態では、ＡＰがＳＴＡに代替主チャネルについての情報をビーコン／プローブ応答メッセージを介して送信することを提案する。
【００８５】
仮に、主チャネルがｂｕｓｙで、主チャネルでの伝送が他のＢＳＳの伝送の場合、代替主チャネルでバックオフ手順が遂行され、代替主チャネルが伝送に用いられることができる。この場合、関連のＥＤＣＡパラメータ（すなわち、バックオフタイマー、ＣＷ）は保存され、ＥＤＣＡパラメータは代替主チャネルのバックオフ手順のために複製されることができる。このように複製されたＥＤＣＡパラメータを介して、バックオフ手順は代替主チャネルで再開することもできる。
【００８６】
ＡＰ／ＳＴＡは、バックオフカウンターが０に至る場合、ＰＩＦＳの間にｉｄｌｅなチャネルを介してフレームを送信することができる。仮に、代替主チャネルを介しての伝送が失敗する場合（例えば、ＡＣＫ／ＮＡＣＫが受信されない場合）、バックオフ手順は主チャネルで保存されたＣＷ［ＡＣ］及びバックオフタイマー値を持って再開することもできる。
【００８７】
仮に、主チャネルが自分のＢＳＳの伝送によってｂｕｓｙである場合、バックオフ手順は中断されることが好ましい。
【００８８】
一方、以下では、本発明の一実施形態によって全ての補助チャネルでＮＡＶを設定する方式についてより具体的に説明する。
【００８９】
図１３はレガシーシステムにおけるＰＩＦＳ媒体接続方式を説明するための図である。
【００９０】
広帯域チャネル（例えば、４０、８０、１６０ＭＨｚチャネル）は、前述したように、主チャネル及び補助チャネルを含んでなる。レガシーシステムにおいては、前述したように、主チャネルに対してだけＮＡＶ及びバックオフ手順が調整されて来た。レガシーシステムにおいても補助チャネルに対してＣＣＡを遂行するが、バックオフカウント値が０に至った時、媒体がＰＩＦＳの間にｉｄｌｅな場合、対応する補助チャネルは使用可能なものと見なされ、送信のために用いられることができる。
【００９１】
該当のＳＴＡに向かわないＣＴＳが補助チャネルを介して受信された場合であっても、ＳＴＡは該当の補助チャネルのためにＮＡＶを設定しない。すなわち、物理階層は２０ＭＨｚ主チャネルと重ならないＰＰＤＵに対応してＰＨＹ−ＲＸＳＴＡＲＴ．ｉｎｄｉｃａｔｉｏｎプリミティブを発行しない。
【００９２】
図１４は主チャネルにだけＮＡＶ設定がなされる場合の問題を説明するための図である。
【００９３】
図１３に関連してＰＩＦＳ媒体接続方式を用いる場合、たびたびＳＴＡの伝送に影響を与えることができる。例えば、図１４で、ＳＴＡ１はＡＰ１に、かつＳＴＡ２はＡＰ２に連結されていると仮定する。ＳＴＡ２はＡＰ１と相互間の信号を聞くことができる場合を仮定する。なお、ＡＰ１及びＳＴＡ１はＣＨ１、ＣＨ２、ＣＨ３及びＣＨ４を用い、ＣＨ１が主チャネルであると仮定する。また、ＡＰ２及びＳＴＡ２はＣＨ３及びＣＨ４を用い、ＣＨ３が主チャネルであると仮定する。
【００９４】
このような状況で、ＡＰ２はＳＴＡ２にＲＴＳを送信することができ、ＳＴＡ２はＡＰ２にＣＴＳを送信して応答することができる。図１４に示したように、このＣＴＳはＡＰ１にもＣＨ３及びＣＨ４を介して受信できる。
【００９５】
レガシーシステムのように主チャネルに対してだけＮＡＶ設定がなされる場合、前述した場合にもＣＨ３及びＣＨ４がＰＩＦＳの間にｉｄｌｅであるため、ＡＰ１はＳＴＡ１にＣＨ３及びＣＨ４を介してフレームを送信することができる。このような伝送はＳＴＡ２の伝送エラーを誘発することができる。
【００９６】
図１５は本発明の一実施形態によって補助チャネルに対してもＮＡＶ設定を遂行する場合を説明するための図である。
【００９７】
前述した問題を解決するための本実施形態において、ＳＴＡはＭＡＣ  ＰＤＵが成功的にデコードされる場合、全ての補助チャネルに対してＮＡＶを設定し、受信されたＭＰＤＵに基づいて各ＮＡＶを更新することを提案する。このために、物理階層は２０ＭＨｚ主チャネルと重ならないチャネルにｓｈｏｒｔ  ｎｏｎ−ＨＴ  ＰＰＤＵが受信されることに対応してＰＨＹ−ＲＸＳＴＡＲＴ．ｉｎｄｉｃａｔｉｏｎプリミティブを発生することができる。Ｓｈｏｒｔ  ｎｏｎ−ＨＴ  ＰＰＤＵはＣＴＳフレームの大きさ以下の大きさを有することができ、これはＬ＿ＳＩＧフィールドによって計算されることができる。物理階層はＭＡＣ階層に発行するＰＨＹ−ＲＸＳＴＡＲＴ．ｉｎｄｉｃａｔｉｏｎ（ＲＸＶＥＣＴＯＲ）プリミティブにチャネルリスト値を含ませることができ、チャネルリスト値は、Ｐｒｉｍａｒｙ、Ｓｅｃｏｎｄａｒｙ、Ｓｅｃｏｎｄａｒｙ４０、Ｓｅｃｏｎｄａｒｙ８０であってもよい。
【００９８】
ＭＡＣ階層は物理階層からＰＨＹ−ＲＸＳＴＡＲＴ．ｉｎｄｉｃａｔｉｏｎプリミティブを受信し、Ａ−ＭＰＤＵ／ＭＰＤＵが成功的にデコードされた場合、それぞれの補助チャネルに対してＮＡＶを設定又は更新することができる。
【００９９】
本実施形態によるＳＴＡは、バックオフカウント値が０に至った時、チャネルがＰＩＦＳの間にｉｄｌｅであったとしてもＮＡＶが０でない値を有するチャネルを介してフレームを送信しないように設定されることができる。
【０１００】
図１５で、ＡＰ１は補助チャネルであるＣＨ３及びＣＨ４に対してもＳＴＡ２のＣＴＳ受信によって設定されたＮＡＶを介してＣＨ３及びＣＨ４へのデータ送信を遂行しなく、これにより、図１４に示したような問題を防止することができる。
【０１０１】
図１６は前述したような方法を具現するための装置を説明するための図である。
【０１０２】
図１６の無線装置８００は、前述した説明の特定のＳＴＡ、そして無線装置８５０は前述した説明のＡＰに対応することができる。
【０１０３】
ＳＴＡ８００は、プロセッサ８１０、メモリ８２０、送受信部８３０を含むことができ、ＡＰ８５０は、プロセッサ８６０、メモリ８７０及び送受信部８８０を含むことができる。送受信部８３０及び８８０は、無線信号を送信／受信し、ＩＥＥＥ  ８０２．１１／３ＧＰＰなどの物理的階層で実行されることができる。プロセッサ８１０及び８６０は物理階層及び／又はＭＡＣ階層で実行され、送受信部８３０及び８８０に連結されている。プロセッサ８１０及び８６０は前述したＵＬ  ＭＵスケジューリング手順を遂行することができる。
【０１０４】
プロセッサ８１０及び８６０及び／又は送受信部８３０及び８８０は特定の集積回路（ａｐｐｌｉｃａｔｉｏｎ−ｓｐｅｃｉｆｉｃ  ｉｎｔｅｇｒａｔｅｄ  ｃｉｒｃｕｉｔ、ＡＳＩＣ）、他のチップセット、論理回路及び／又はデータプロセッサを含むことができる。メモリ８２０及び８７０はＲＯＭ（ｒｅａｄ−ｏｎｌｙ  ｍｅｍｏｒｙ）、ＲＡＭ（ｒａｎｄｏｍ  ａｃｃｅｓｓ  ｍｅｍｏｒｙ）、フラッシュメモリー、メモリカード、記憶媒体及び／又は他の記憶ユニットを含むことができる。一実施例がソフトウェアによって実行されるとき、前述した方法は前述した機能を果たすモジュール（例えば、プロセス、機能）によって実行されることができる。前記モジュールはメモリ８２０、８７０に記憶されることができ、プロセッサ８１０、８６０によって実行されることができる。前記メモリ８２０、８７０は前記プロセッサ８１０、８６０の内部又は外部に配置されることができ、よく知られた手段を介して前記プロセッサ８１０、８６０に連結されることができる。
【０１０５】
前述したように開示した本発明の好適な実施形態についての詳細な説明は当業者が本発明を具現して実施することができるように提供された。前記では本発明の好適な実施形態に基づいて説明したが、当該技術分野の熟練した当業者は前述した説明から本発明を多様に修正及び変更することができることを理解することが可能であろう。よって、本発明はこれに開示した実施形態に制限されるものではなく、ここに開示した原理及び新規の特徴と一致する最広の範囲を付与しようとするものである。
【産業上の利用可能性】
【０１０６】
前述したような本発明はＩＥＥＥ  ８０２．１１に基づく無線ＬＡＮシステムに適用されるものを仮定して説明したが、これに限定される必要はない。本発明はフクスのチャネルを用いて広帯域のチャネルを介して通信することが必要な多様な無線システムに同じ方式で適用されることができる。
【図１】
0006298213.tif 000004
【図２】
0006298213.tif 000005
【図３】
0006298213.tif 000006
【図４】
0006298213.tif 000007
【図５】
0006298213.tif 000008
【図６】
0006298213.tif 000009
【図７】
0006298213.tif 000010
【図８】
0006298213.tif 000011
【図９】
0006298213.tif 000012
【図１０】
0006298213.tif 000013
【図１１】
0006298213.tif 000014
【図１２】
0006298213.tif 000015
【図１３】
0006298213.tif 000016
【図１４】
0006298213.tif 000017
【図１５】
0006298213.tif 000018
【図１６】
0006298213.tif 000019